(57)【要約】【課題】良好なアンテナ特性を得ることができる携帯型無線通信機を提供する。【解決手段】  回路基板を収容する内側筐体２０と、内側筐体２０を収容する外側筐体１０と、内側筐体２０と外側筐体１０との間に配置されたアンテナ６１，６２とからなる携帯型無線通信機１である。アンテナ６１，６２の給電部６１ｅ，６２ｅは、内側筐体２０に設けられた孔２１ｂより内側筐体２０内部へ引き込まれ、回路基板３１に導通されている。アンテナ６１，６２を外側筐体１０と内側筐体２０との間に配置し、給電部６１ｅ，６２ｅのみを孔２１ｂより内側筐体２０内に引き込むので、アンテナ６１，６２を外部に突出させることなく本体２内部の回路基板３１上の素子から離間して配置することができ、アンテナ６１，６２が内側筐体２０内の他の素子による影響を受けにくく、良好なアンテナ特性を得ることができる。【選択図】図２
2008011116.tif 000002
【特許請求の範囲】
【請求項１】
回路基板を収容する内側筐体と、
前記内側筐体を覆う外側筐体と、
前記内側筐体と前記外側筐体との間に配置されたアンテナとを具備してなり、
前記アンテナの給電部は、前記内側筐体に設けられた孔より前記内側筐体内部へ引き込まれ、前記回路基板に導通されていることを特徴とする携帯型無線通信機。
【請求項２】
前記孔は防水パッキンで閉塞されていることを特徴とする請求項１に記載の携帯型無線通信機。
【請求項３】
前記アンテナは前記防水パッキンに埋め込まれていることを特徴とする請求項２に記載の携帯型無線通信機。
【請求項４】
前記内側筐体には前記回路基板を内部に収容するための収納凹部が設けられており、
前記収納凹部の開口は防水部材により閉塞され、前記防水部材は前記外側筐体により覆われていることを特徴とする請求項１〜３のいずれか一項に記載の携帯型無線通信機。
【請求項５】
前記外側筐体は、前記内側筐体の前記収納凹部側を覆う第一の外側ケースと、前記内側筐体の他の部分を覆う第二の外側ケースとからなることを特徴とする請求項４に記載の携帯型無線通信機。
【発明の詳細な説明】
【技術分野】
【０００１】
本発明は、携帯型電話機等の携帯型無線通信機に関する。
【背景技術】
【０００２】
携帯型無線通信機、特に携帯型電話機においては、ホイップ式アンテナが主流であったが、最近ではアンテナをケース内に内蔵させたものが多くなってきている（例えば、特許文献１参照）。アンテナをケース内に内蔵させることで、防水特性や機械的強度を向上させることができ、またデザインの自由度を高めることができる。
【特許文献１】特開２００２−３１９８０８号公報
【発明の開示】
【発明が解決しようとする課題】
【０００３】
ところで、携帯型無線通信機のアンテナは、通信機に内蔵の他の電子部品の影響を受けにくくするために、また、他の電子部品に与える影響を少なくするために、他の電子部品から離間して設けたほうが望ましい。しかし、最近では、多機能化のためにケース内に内蔵させる電子部品が増え、良好なアンテナ特性を得られる状態でケース内にアンテナを実装するスペースを確保することが困難になっている。
【０００４】
本発明の課題は、アンテナを他の素子との影響が少なくなるように筐体内に配置し、良好なアンテナ特性を得ることができる携帯型無線通信機を提供することである。
【課題を解決するための手段】
【０００５】
以上の課題を解決するため、請求項１に記載の発明は、回路基板を収容する内側筐体と、前記内側筐体を覆う外側筐体と、前記内側筐体と前記外側筐体との間に配置されたアンテナとを具備してなり、前記アンテナの給電部は、前記内側筐体に設けられた孔より前記内側筐体内部へ引き込まれ、前記回路基板に導通されていることを特徴とする携帯型無線通信機である。
【０００６】
請求項１に記載の発明によれば、アンテナを外側筐体と内側筐体との間に配置し、給電部のみを内側筐体に設けられた孔より内側筐体内に引き込むので、アンテナを外部に突出させることなく本体内部の回路基板上の素子から離間して配置することができ、アンテナが内側筐体内の他の素子による影響を受けにくく、また、アンテナが他の素子に与える影響を少なくすることができる。
【０００７】
請求項２に記載の発明は、請求項１に記載の携帯型無線通信機であって、前記孔は防水パッキンで閉塞されていることを特徴とする。
【０００８】
請求項２に記載の発明によれば、内側筐体に設けられた孔が防水パッキンで閉塞されているので、内側筐体内の回路基板の防水を図ることができる。
【０００９】
請求項３に記載の発明は、請求項２に記載の携帯型無線通信機であって、前記アンテナは前記防水パッキンに埋め込まれていることを特徴とする。
【００１０】
請求項３に記載の発明によれば、アンテナが防水パッキンに埋め込まれているので、防水パッキンを内側筐体に設けられた孔に嵌め込むことで、孔とアンテナとの隙間を容易に閉塞することができる。
【００１１】
請求項４に記載の発明は、請求項１〜３のいずれか一項に記載の携帯型無線通信機であって、前記内側筐体には前記回路基板を内部に収容するための収納凹部が設けられており、前記収納凹部の開口は防水部材により閉塞され、前記防水部材は前記外側筐体により覆われていることを特徴とする。
【００１２】
請求項４に記載の発明によれば、内側筐体の収納凹部に回路基板を収容した状態で、収納凹部の開口を防水部材により閉塞し、外側筐体により覆うことで、内側筐体内の回路基板の防水を図ることができる。
【００１３】
請求項５に記載の発明は、請求項４に記載の携帯型無線通信機であって、前記外側筐体は、前記内側筐体の前記収納凹部側を覆う第一の外側ケースと、前記内側筐体の他の部分を覆う第二の外側ケースとからなることを特徴とする。
【００１４】
請求項５に記載の発明によれば、外側筐体が内側筐体の収納凹部側を覆う第一の外側ケースと、内側筐体の他の部分を覆う第二の外側ケースとからなるので、第一の外側ケースと第二の外側ケースを組み合わせて内側筐体の外側に容易に外側筐体を形成することができる。
【発明の効果】
【００１５】
本発明によれば、携帯型無線通信機の筐体内にアンテナを他の素子との影響が少なくなるように配置することができ、良好なアンテナ特性を得ることができる。
【発明を実施するための最良の形態】
【００１６】
以下、本発明の実施の形態について詳細に説明する。
図１は本発明の実施の形態に係る携帯型無線通信機１の図であり、（ａ）は左側面図、（ｂ）は正面図、（ｃ）は右側面図である。図１に示すように、携帯型無線通信機１は操作部４を有する本体２と、表示部５を有する蓋体３とからなる。本体２と蓋体３とはヒンジ部６により接続され、重ね合わせられるように形成されている。また、本体２の側面には、サイドキー７、イヤホンカバー８、コネクタカバー９が設けられている。
【００１７】
図２は図１のII−II矢視断面図であり、図３は本体２の分解斜視図である。本体２は、外側筐体１０と、内側筐体２０と、ユニットアッシー３０と、キーパッド４０等とからなる。
外側筐体１０は、操作部４側のフロントケース１１とリアケース１２とが組み合わされてなる。
フロントケース１１には、内側筐体２０の前面に設けられるキーパッド４０のキートップ４１を露出させる開口１４が設けられている。リアケース１２には、内側筐体２０の背面に取り付けられるバッテリー１３（図２参照）を露出させる開口１５が設けられている。なお、バッテリー１３はバッテリー蓋一体型のバッテリーである。
【００１８】
内側筐体２０は、前側に収納凹部２３を有し、その内部にユニットアッシー３０と、キーパッド４０とが収納されている。収納凹部２３にはその開口の縁に沿って、後述するキーラバー４２の外縁部が嵌合する溝２４が設けられている。
【００１９】
ユニットアッシー３０は、メイン基板３１（回路基板）と、メインフレーム３２と、キー基板３３とからなる。
メイン基板３１には、メインプロセッサ、メモリー、モデム、電源ＩＣ、アンテナ、メモリーカードスロット、ＩＦコネクタ、イヤホンコネクタ等の素子が設けられている。また、メイン基板３１の背面には、図２に示すように、断面略Ｓ字状のバネ端子３４が設けられている。バネ端子３４は後述するアンテナ部材５０，６０の給電部と当接する。なお、バネ端子３４は各アンテナに対応して設けられるもので、図２では、アンテナ６１（６２）の給電部６１ｅ（６２ｅ）がバネ端子３４に当接した状態がしまされている。
【００２０】
メインフレーム３２は、例えばＭｇ合金等からなり、本体２の強度を高めるとともに、電気的なグラウンドや電磁波シールド（ノイズシールド）としても機能する。メインフレーム３２の背面には１つ或いは複数の凹部が形成されており、この背面には、メインプロセッサ、メモリー、モデム、電源ＩＣ等が凹部収納されるような状態でメイン基板３１が設けられている。
また、メインフレーム３２の前面は平坦面となっており、この平坦面上には、キー基板３３が設けられている。キー基板３３の前面にはキーパッド４０が配置される。
【００２１】
キーパッド４０は、キー基板３３に重ねられるキーラバー４２と、キーラバー４２の前面に設けられたキートップ４１とからなる。キーラバー４２はシリコンゴムなどで構成されたシート状のもので、キーラバー４２の外縁には肉厚部が設けられている。図２に示すように、この肉厚部が内側筐体２０に設けられた溝２４に嵌合することで、収納凹部２３が閉塞され、内側筐体２０内への水の侵入が防止される。
キートップ４１はフロントケース１１の開口から露出され、操作部４の操作ボタンとなる。
【００２２】
内側筐体２０の背側には、バッテリー取付部２５（図２参照）が設けられている。バッテリー取付部２５には、メイン基板３１の裏面に取り付けられた図示しない電源接続コネクタの端子が露出しているが、バッテリー１３の外周面に設けられたＯリング１６により内側筐体２０とバッテリー１３との間は水密に封止される。このため、メイン基板３１の端子とバッテリーケースの端子との当接部（図示せず）近傍への水の浸入を防ぐことができる。
【００２３】
また、内側筐体２０の側面部には、図４及び図５に示すように、アンテナ孔２１ａ，２１ｂ、イヤホン用コネクタ孔２２ａ、通信ケーブル用コネクタ孔２２ｂ、サイドキー用キー孔２６ａ〜２６ｃが設けられている。
【００２４】
図４は内側筐体２０の前面、左側面、下面を示す斜視図であり、図５は内側筐体２０の前面、右側面、下面を示す斜視図である。
イヤホン用コネクタ孔２２ａは、内側筐体２０の左側部に設けられており、このコネクタ孔２２ａは、イヤホンカバー８で水密に塞がれるようになっている。通信ケーブル用コネクタ孔２２ｂは、内側筐体２０の下部に設けられており、このコネクタ孔２２ｂは、コネクタカバー９で水密に塞がれるようになっている。サイドキー用キー孔２６ａ〜２６ｃは、内側筐体２０の右側部に設けられており、これらのキー孔２２ａは、ゴム製の防水幕で水密に塞がれ、キーが操作された際には、防水幕を介して内側筐体２０内に設けられているスイッチを押すようになっている。
【００２５】
アンテナ孔２１ａは内側筐体２０の左側部に設けられ、アンテナ孔２１ｂは内側筐体２０の右側部に設けられている。これらのアンテナ孔２１ａ，２１ｂには、アンテナ部材５０，６０のパッキン５８，６８が嵌合される。以下、アンテナ部材５０，６０について説明する。
【００２６】
アンテナ部材５０，６０は、図６、図７に示すように、それぞれ、２つのアンテナ（第一アンテナ５１及び第二アンテナ５２、第三アンテナ６１及び第四アンテナ６２）と、２つのアンテナが埋め込まれたパッキング５８，６８とからなる。
【００２７】
第一アンテナ５１〜第四アンテナ６２はそれぞれ異なる波長の通信に最適な電気長に形成されている。
第一アンテナ５１は例えば８００ＭＨｚの通信用に用いられ、第二アンテナ５２は例えば２ＧＨｚの通信用に用いられる。ここで、第一アンテナ５１を８００ＭHｚの通信用に用いる場合、８００ＭＨｚの波長をλ1とすると、第一アンテナ５１はλ1／４の電気長に形成されている。同様に、第二アンテナ５２を２ＧHｚの通信用に用いる場合、２ＧＨｚの波長をλ2とすると、第二アンテナ５２はλ2／４の電気長に形成されている。
【００２８】
第三アンテナ６１は例えばＧＰＳの通信用に用いられ、第四アンテナ６２は例えばブルートゥース（商標）の通信用に用いられる。ここで、第三アンテナ６１をＧＰＳの通信用に用いる場合、ＧＰＳの通信に用いられる波長をλ3とすると、第三アンテナ６１はλ3／４の電気長に形成されている。同様に、第四アンテナ６２をブルートゥースの通信用に用いる場合、ブルートゥースの通信用に用いられる波長をλ4とすると、第四アンテナ６２はλ4／４の電気長に形成されている。
【００２９】
第一アンテナ５１には、４箇所に位置決め穴５１ａ〜５１ｄが設けられている。位置決め穴には、第一アンテナ５１が内側筐体２０の左側面に沿って配置されたときに、内側筐体２０に設けられた位置決めピン７１ａ〜７１ｄ（図４参照）が挿入される。
同様に、第二アンテナ５２には、２箇所に位置決め穴５２ａ，５２ｂが設けられ、内側筐体２０の左側面に沿って配置されたときに、内側筐体２０に設けられた位置決めピン７２ａ，７２ｂ（図４参照）が挿入される。
【００３０】
第三アンテナ６１には、２箇所に位置決め穴６１ａ，６１ｂが設けられている。位置決め穴６１ａ，６１ｂには、第三アンテナ６１が内側筐体２０の右側面に沿って配置されたときに、内側筐体２０に設けられた位置決めピン８１ａ，８１ｂ（図５参照）が挿入される。
同様に、第四アンテナ６２には、２箇所に位置決め穴６２ａ，６２ｂが設けられ、内側筐体２０の右側面に沿って配置されたときに、内側筐体２０に設けられた位置決めピン８２ａ，８２ｂ（図５参照）が挿入される。
【００３１】
各アンテナ５１，５２，６１，６２はそれぞれの給電部５１ｅ，５２ｅ，６１ｅ，６２ｅの近傍で屈曲されており、この屈曲された部分がパッキン５８，６８に埋め込まれている。アンテナ５１，５２，６１，６２の給電部５１ｅ，５２ｅ，６１ｅ，６２ｅ側の端部及び給電部５１ｅ，５２ｅ，６１ｅ，６２ｅと反対側の端部はパッキン５８，６８から露出している。
【００３２】
パッキン６８は、図２に示すように、アンテナ孔２１ｂに挿入され、アンテナ孔２１ｂを水密に封止する。パッキン６８と同様に、パッキン５８もアンテナ孔２１ａに挿入され、アンテナ孔２１ａを水密に封止する。パッキン５８，６８がアンテナ孔２１ａ，２１ｂに挿入されたときに、アンテナ５１，５２，６１，６２の給電部５１ｅ，５２ｅ，６１ｅ，６２ｅ側の端部は内側筐体２０内に配置され、給電部５１ｅ，５２ｅ，６１ｅ，６２ｅには、内側筐体２０内でメイン基板３１のバネ端子３４が当接する。一方、給電部５１ｅ，５２ｅ，６１ｅ，６２ｅと反対側の端部は、内側筐体２０の外周面に沿って配置される。
【００３３】
このように、アンテナ５１，５２，６１，６２を外側筐体１０と内側筐体２０との間に配置し、給電部５１ｅ，５２ｅ，６１ｅ，６２ｅのみをアンテナ孔２１，２１から内側筐体２０内に挿入するので、アンテナ５１，５２，６１，６２を本体２内部の電子部品から離間して配置することができ、アンテナ５１，５２，６１，６２が内側筐体２０内の他の電子部品の影響を受けにくく、また、アンテナ５１，５２，６１，６２が他の電子部品に与える影響を少なくすることができる。したがって、良好なアンテナ特性を得ることができる。
【００３４】
また、アンテナ５１，５２，６１，６２の給電部５１ｅ，５２ｅ，６１ｅ，６２ｅを内側筐体２０内に挿入するアンテナ孔２１ａ，２１ｂをパッキン５８，６８で塞ぐため、内側筐体２０内に水が浸入することを防ぐことができ、内部の素子を保護することができる。
【００３５】
なお、以上の実施形態においては、１個のパッキンに２本のアンテナを埋め込んだが、本発明はこれに限られることがなく、１個のパッキンに１本のアンテナのみを埋め込んでもよいし、３本以上のアンテナを埋め込んでもよい。
また、上記実施例では、外側筐体がフロントケースとリアケースとで構成されている例について説明したが、外側筐体はフロントケースのみで構成するようにしてもよい。この場合、内側筐体の側壁外面においてアンテナ設置領域よりも下側となる部分を全周に渡って外側に突出する構成にし、アンテナが装着されている内側筐体の側壁の外面をフロントケースで覆う構成にすればよい。
【図面の簡単な説明】
【００３６】
【図１】本発明の実施の形態に係る携帯型無線通信機１の図であり、（ａ）は左側面図、（ｂ）は正面図、（ｃ）は右側面図である。
【図２】図１のII−II矢視断面図である。
【図３】携帯型無線通信機１の本体２の分解斜視図である。
【図４】内側筐体２０の前面、左側面、下面を示す斜視図である。
【図５】内側筐体２０の前面、右側面、下面を示す斜視図である。
【図６】アンテナ部材５０を示す斜視図である。
【図７】アンテナ部材６０を示す斜視図である。
【符号の説明】
【００３７】
１  携帯型無線通信機
２  本体
１０  外側筐体
１１  フロントケース（第一の外側ケース）
１２  リアケース（第二の外側ケース）
２０  内側筐体
２１ａ，２１ｂ  アンテナ孔
２３  収納凹部
３１  メイン基板（回路基板）
４２  キーラバー（防水部材）
５１，５２，６１，６２  アンテナ
５１ｅ，５２ｅ，６１ｅ，６２ｅ  給電部
５８，６８  パッキン（防水パッキン）
【図１】
2008011116.tif 000003
【図２】
2008011116.tif 000004
【図３】
2008011116.tif 000005
【図４】
2008011116.tif 000006
【図５】
2008011116.tif 000007
【図６】
2008011116.tif 000008
【図７】
2008011116.tif 000009
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
アンテナと、複数の電子部品が搭載され且つ前記アンテナが接続される回路基板と、該回路基板を収容する内側筐体と、該内側筐体を覆う外側筐体と、を備えた携帯型無線通信機において、
前記アンテナは、前記内側筐体の外面の前記外側筐体により覆われる領域に配置され、
前記アンテナの給電側端部は、前記内側筐体に設けられた孔より前記内側筐体内部へ引き込まれ、前記回路基板に接続されていることを特徴とする携帯型無線通信機。
【請求項２】
前記アンテナには位置決め穴が設けられており、前記内側筐体の前記領域には、前記アンテナが配置されたときに前記位置決め穴が挿入される位置決めピンが設けられていることを特徴とする請求項１に記載の携帯型無線通信機。
【請求項３】
前記アンテナが配置される前記領域は、前記外側筐体の側壁により覆われる前記内側筐体の側壁の外面であり、前記孔は前記内側筐体の前記側壁に設けられていることを特徴とする請求項１又は２に記載の携帯型無線通信機。
【請求項４】
前記孔は防水パッキンで閉塞されていることを特徴とする請求項１乃至３の何れか一項に記載の携帯型無線通信機。
【請求項５】
前記アンテナの前記孔を挿通する部分は、前記防水パッキンに埋め込まれていることを特徴とする請求項４に記載の携帯型無線通信機。
【請求項６】
前記領域には他のアンテナも設けられており、該他のアンテナの給電側端部も前記孔より前記内側筐体内部へ引き込まれていることを特徴とする請求項１乃至３の何れか一項に記載の携帯型無線通信機。
【請求項７】
前記内側筐体の側壁の外面には、前記孔を挟んで前記アンテナと対向する位置に他のアンテナが設けられており、該他のアンテナの給電側端部も前記孔より前記内側筐体内部へ引き込まれていることを特徴とする請求項３に記載の携帯型無線通信機。
【請求項８】
前記孔は防水パッキンで閉塞されていることを特徴とする請求項６又は７に記載の携帯型無線通信機。
【請求項９】
前記アンテナ及び前記他のアンテナの前記孔を挿通する部分は、前記防水パッキンに埋め込まれていることを特徴とする請求項８に記載の携帯型無線通信機。
【手続補正２】
【補正対象書類名】明細書
【補正対象項目名】０００５
【補正方法】変更
【補正の内容】
【０００５】
以上の課題を解決するため、請求項１に記載の発明は、アンテナと、複数の電子部品が搭載され且つ前記アンテナが接続される回路基板と、該回路基板を収容する内側筐体と、該内側筐体を覆う外側筐体と、を備えた携帯型無線通信機において、前記アンテナは、前記内側筐体の外面の前記外側筐体により覆われる領域に配置され、前記アンテナの給電側端部は、前記内側筐体に設けられた孔より前記内側筐体内部へ引き込まれ、前記回路基板に接続されていることを特徴とする。
【手続補正３】
【補正対象書類名】明細書
【補正対象項目名】０００６
【補正方法】変更
【補正の内容】
【０００６】
請求項１に記載の発明によれば、アンテナを内側筐体の外面の前記外側筐体により覆われる領域に配置し、給電側端部のみを内側筐体に設けられた孔より内側筐体内に引き込むので、アンテナを外部に突出させることなく本体内部の回路基板上の素子から離間して配置することができ、アンテナが内側筐体内の他の素子による影響を受けにくく、また、アンテナが他の素子に与える影響を少なくすることができる。
【手続補正４】
【補正対象書類名】明細書
【補正対象項目名】０００７
【補正方法】変更
【補正の内容】
【０００７】
請求項２に記載の発明は、請求項１に記載の携帯型無線通信機であって、前記アンテナには位置決め穴が設けられており、前記内側筐体の前記領域には、前記アンテナが配置されたときに前記位置決め穴が挿入される位置決めピンが設けられていることを特徴とする。
請求項２に記載の発明によれば、アンテナの位置決めが容易且つ正確となる。
【手続補正５】
【補正対象書類名】明細書
【補正対象項目名】０００８
【補正方法】変更
【補正の内容】
【０００８】
請求項３に記載の発明は、請求項１又は２に記載の携帯型無線通信機であって、前記アンテナが配置される前記領域は、前記外側筐体の側壁により覆われる前記内側筐体の側壁の外面であり、前記孔は前記内側筐体の前記側壁に設けられていることを特徴とする。
請求項３に記載の発明によれば、アンテナの配置位置が回路基板上の大多数の素子から大きく離間する内側筐体の側壁の外面であるので、アンテナが内側筐体内の他の素子による影響を受けにくく、また、アンテナが他の素子に与える影響を少なくすることができる。
【手続補正６】
【補正対象書類名】明細書
【補正対象項目名】０００９
【補正方法】変更
【補正の内容】
【０００９】
請求項４に記載の発明は、請求項１乃至３の何れか一項に記載の携帯型無線通信機であって、前記孔は防水パッキンで閉塞されていることを特徴とする。
請求項４に記載の発明によれば、内側筐体に設けられた孔が防水パッキンで閉塞されているので、内側筐体内の回路基板の防水を図ることができる。
【手続補正７】
【補正対象書類名】明細書
【補正対象項目名】００１０
【補正方法】変更
【補正の内容】
【００１０】
請求項５に記載の発明は、請求項４に記載の携帯型無線通信機であって、前記アンテナの前記孔を挿通する部分は、前記防水パッキンに埋め込まれていることを特徴とする。
請求項５に記載の発明によれば、アンテナにおける内側筐体に設けられた孔を挿通する部分が防水パッキンに埋め込まれているので、防水パッキンを内側筐体に設けられた孔に嵌め込むことで、孔とアンテナとの隙間を容易に閉塞することができる。
【手続補正８】
【補正対象書類名】明細書
【補正対象項目名】００１１
【補正方法】変更
【補正の内容】
【００１１】
請求項６に記載の発明は、請求項１乃至３の何れか一項に記載の携帯型無線通信機であって、前記領域には他のアンテナも設けられており、該他のアンテナの給電側端部も前記孔より前記内側筐体内部へ引き込まれていることを特徴とする。
請求項６に記載の発明によれば、何れのアンテナも内側筐体内の他の素子による影響を受けにくく、また、他の素子に与える影響も少なくすることができる。
【手続補正９】
【補正対象書類名】明細書
【補正対象項目名】００１２
【補正方法】変更
【補正の内容】
【００１２】
請求項７に記載の発明は、請求項３に記載の携帯型無線通信機であって、前記内側筐体の側壁の外面には、前記孔を挟んで前記アンテナと対向する位置に他のアンテナが設けられており、該他のアンテナの給電側端部も前記孔より前記内側筐体内部へ引き込まれていることを特徴とする。
請求項７に記載の発明によれば、何れのアンテナも内側筐体内の他の素子による影響を受けにくく、また、他の素子に与える影響も少なくすることができる。
【手続補正１０】
【補正対象書類名】明細書
【補正対象項目名】００１３
【補正方法】変更
【補正の内容】
【００１３】
請求項８に記載の発明は、請求項６又は７に記載の携帯型無線通信機であって、前記孔は防水パッキンで閉塞されていることを特徴とする。
請求項８に記載の発明によれば、内側筐体に設けられた孔が防水パッキンで閉塞されているので、内側筐体内の回路基板の防水を図ることができる。
【手続補正１１】
【補正対象書類名】明細書
【補正対象項目名】００１４
【補正方法】変更
【補正の内容】
【００１４】
請求項９に記載の発明は、請求項８に記載の携帯型無線通信機であって、前記アンテナ及び前記他のアンテナの前記孔を挿通する部分は、前記防水パッキンに埋め込まれていることを特徴とする。
請求項９に記載の発明によれば、アンテナにおける内側筐体に設けられた孔を挿通する部分が防水パッキンに埋め込まれているので、防水パッキンを内側筐体に設けられた孔に嵌め込むことで、孔とアンテナとの隙間を容易に閉塞することができる。
【手続補正１２】
【補正対象書類名】明細書
【補正対象項目名】００１９
【補正方法】変更
【補正の内容】
【００１９】
ユニットアッシー３０は、メイン基板３１（回路基板）と、メインフレーム３２と、キー基板３３とからなる。
メイン基板３１には、メインプロセッサ、メモリー、モデム、電源ＩＣ、アンテナ、メモリーカードスロット、ＩＦコネクタ、イヤホンコネクタ等の素子が設けられている。また、メイン基板３１の背面には、図２に示すように、断面略Ｓ字状のバネ端子３４が設けられている。バネ端子３４は後述するアンテナ部材５０，６０の給電部（給電側端部）と当接する。なお、バネ端子３４は各アンテナに対応して設けられるもので、図２では、アンテナ６１（６２）の給電部６１ｅ（６２ｅ）がバネ端子３４に当接した状態が示されている。
【手続補正１３】
【補正対象書類名】明細書
【補正対象項目名】００２３
【補正方法】変更
【補正の内容】
【００２３】
また、内側筐体２０の側壁部には、図４及び図５に示すように、アンテナ孔２１ａ，２１ｂ、イヤホン用コネクタ孔２２ａ、通信ケーブル用コネクタ孔２２ｂ、サイドキー用キー孔２６ａ〜２６ｃが設けられている。
【手続補正１４】
【補正対象書類名】明細書
【補正対象項目名】００２４
【補正方法】変更
【補正の内容】
【００２４】
図４は内側筐体２０の前面、左側面、下面を示す斜視図であり、図５は内側筐体２０の前面、右側面、下面を示す斜視図である。
イヤホン用コネクタ孔２２ａは、内側筐体２０の左側側壁部に設けられており、このコネクタ孔２２ａは、イヤホンカバー８で水密に塞がれるようになっている。通信ケーブル用コネクタ孔２２ｂは、内側筐体２０の下側側壁部に設けられており、このコネクタ孔２２ｂは、コネクタカバー９で水密に塞がれるようになっている。サイドキー用キー孔２６ａ〜２６ｃは、内側筐体２０の右側側壁部に設けられており、これらのキー孔２６ａ〜２６ｃは、ゴム製の防水膜で水密に塞がれ、キーが操作された際には、防水膜を介して内側筐体２０内に設けられているスイッチを押すようになっている。
【手続補正１５】
【補正対象書類名】明細書
【補正対象項目名】００２５
【補正方法】変更
【補正の内容】
【００２５】
アンテナ孔２１ａは内側筐体２０の左側側壁部に設けられ、アンテナ孔２１ｂは内側筐体２０の右側側壁部に設けられている。これらのアンテナ孔２１ａ，２１ｂには、アンテナ部材５０，６０のパッキン５８，６８が嵌合される。以下、アンテナ部材５０，６０について説明する。
【手続補正１６】
【補正対象書類名】明細書
【補正対象項目名】００２６
【補正方法】変更
【補正の内容】
【００２６】
アンテナ部材５０，６０は、図６、図７に示すように、それぞれ、２つのアンテナ（第一アンテナ５１及び第二アンテナ５２、第三アンテナ６１及び第四アンテナ６２）と、２つのアンテナが埋め込まれたパッキン５８，６８とからなる。
【手続補正１７】
【補正対象書類名】明細書
【補正対象項目名】００２９
【補正方法】変更
【補正の内容】
【００２９】
第一アンテナ５１には、４箇所に位置決め穴５１ａ〜５１ｄが設けられている。位置決め穴には、第一アンテナ５１が内側筐体２０の左側面（左側側壁の外面）に沿って配置されたときに、内側筐体２０に設けられた位置決めピン７１ａ〜７１ｄ（図４参照）が挿入される。
同様に、第二アンテナ５２には、２箇所に位置決め穴５２ａ，５２ｂが設けられ、内側筐体２０の左側面に沿って配置されたときに、内側筐体２０に設けられた位置決めピン７２ａ，７２ｂ（図４参照）が挿入される。
【手続補正１８】
【補正対象書類名】明細書
【補正対象項目名】００３０
【補正方法】変更
【補正の内容】
【００３０】
第三アンテナ６１には、２箇所に位置決め穴６１ａ，６１ｂが設けられている。位置決め穴６１ａ，６１ｂには、第三アンテナ６１が内側筐体２０の右側面（右側側壁の外面）に沿って配置されたときに、内側筐体２０に設けられた位置決めピン８１ａ，８１ｂ（図５参照）が挿入される。
同様に、第四アンテナ６２には、２箇所に位置決め穴６２ａ，６２ｂが設けられ、内側筐体２０の右側面に沿って配置されたときに、内側筐体２０に設けられた位置決めピン８２ａ，８２ｂ（図５参照）が挿入される。
【手続補正１９】
【補正対象書類名】明細書
【補正対象項目名】００３１
【補正方法】変更
【補正の内容】
【００３１】
各アンテナ５１，５２，６１，６２はそれぞれの給電部５１ｅ，５２ｅ，６１ｅ，６２ｅの近傍で屈曲されており、この屈曲された部分がパッキン５８，６８に埋め込まれている。すなわち、アンテナ５１，５２，６１，６２の本体部及び給電部５１ｅ，５２ｅ，６１ｅ，６２ｅ側の端部はパッキン５８，６８から露出している。
【手続補正２０】
【補正対象書類名】明細書
【補正対象項目名】００３２
【補正方法】変更
【補正の内容】
【００３２】
パッキン６８は、図２に示すように、アンテナ孔２１ｂに挿入され、アンテナ孔２１ｂを水密に封止する。パッキン６８と同様に、パッキン５８もアンテナ孔２１ａに挿入され、アンテナ孔２１ａを水密に封止する。パッキン５８，６８がアンテナ孔２１ａ，２１ｂに挿入されたときに、アンテナ５１，５２，６１，６２の給電部５１ｅ，５２ｅ，６１ｅ，６２ｅ側の端部は内側筐体２０内に配置され、給電部５１ｅ，５２ｅ，６１ｅ，６２ｅには、内側筐体２０内でメイン基板３１のバネ端子３４が当接する。一方、アンテナ５１，５２，６１，６２の本体部は、内側筐体２０の外周面（側壁外面）に沿って配置される。
【手続補正２１】
【補正対象書類名】明細書
【補正対象項目名】００３３
【補正方法】変更
【補正の内容】
【００３３】
このように、アンテナ５１，５２，６１，６２を外側筐体１０と内側筐体２０との間に配置し、給電部５１ｅ，５２ｅ，６１ｅ，６２ｅのみをアンテナ孔２１ａ，２１ｂから内側筐体２０内に挿入するので、アンテナ５１，５２，６１，６２の本体部を本体２内部の電子部品から離間して配置することができ、アンテナ５１，５２，６１，６２が内側筐体２０内の他の電子部品の影響を受けにくく、また、アンテナ５１，５２，６１，６２が他の電子部品に与える影響を少なくすることができる。したがって、良好なアンテナ特性を得ることができる。